(57)【要約】【課題】  浴室を広く使用し、かつ、快適に入浴できるように収納可能な風呂蓋を提供することにある。【解決手段】  蓋部１と、その長手方向両端部に内蔵され、伸縮自在とされた把持部２とからなるとともに、上記把持部２が浴室上部に設けられた支持手段３により支持され、浴室上部空間に収納されることを特徴とする。好ましくは、上記支持手段３が浴室側壁上部に設けられたＪ字型フックとされる。中央平面板と該中央平面板の左右端縁にヒンジにより回動自在に接続された左折曲げ板および右折曲げ板とからなる蓋部１と、該ヒンジの長手方向に伸縮自在に内蔵された伸縮バーとからなるとともに、上記伸縮バーが、浴室上部に設けられた支持手段３により支持され、浴室上部空間に収納されることを特徴とする風呂蓋が提供される。好ましくは、上記支持手段３が浴室側壁上部に設けられたＵ字型フックとされる。【選択図】  図３
2005080735.tif 000002
【特許請求の範囲】
【請求項１】
蓋部と、その長手方向両端部に内蔵され、伸縮自在とされた把持部とからなるとともに、上記把持部が浴室上部に設けられた支持手段により支持され、浴室上部空間に収納されることを特徴とする風呂蓋。
【請求項２】
上記支持手段が浴室側壁上部に設けられたＪ字型フックである請求項１に記載の風呂蓋。
【請求項３】
中央平面板と該中央平面板の左右端縁にヒンジにより回動自在に接続された左折曲げ板および右折曲げ板とからなる蓋部と、該ヒンジの長手方向に伸縮自在に内蔵された伸縮バーとからなるとともに、上記伸縮バーが、浴室上部に設けられた支持手段により支持され、浴室上部空間に収納されることを特徴とする風呂蓋。
【請求項４】
上記支持手段が浴室側壁上部に設けられたＵ字型フックである請求項３に記載の風呂蓋。
【請求項５】
上記左折曲げ板の左端部と右折曲げ板の右端部には、それぞれ把持バーが設けられた請求項３に記載の風呂蓋。
【発明の詳細な説明】
【技術分野】
【０００１】
本発明は、浴槽の開口部を覆う蓋に関する。さらに詳しくは、快適に入浴できるように収納可能とされた風呂蓋に関する。
【背景技術】
【０００２】
浴槽の開口部を覆う風呂蓋は、巻き取りが可能なシャッター式や、重ね置きが可能な合わせ蓋等、各種のものが知られている。しかし、いずれの風呂蓋も、入浴時の収納に困り、洗い場の片隅に置いたり、浴室の壁面に立て掛けたりするためスペースを取られ、洗い場を広く使用して快適に入浴することができないという問題がある。
【特許文献１】特開２００２−９５５９９号公報（第１−３頁、第３、４、５図）
【特許文献２】実開平２−１１４８０号公報（第１頁、第５、６、７図）
【特許文献３】特開平９−１４０６０８号公報（第１〜４頁、第１、２、３図）
【特許文献４】特開平８−６６３２２号公報（第１〜４頁、第１図、第３図）
【発明の開示】
【発明が解決しようとする課題】
【０００３】
本発明は、上記問題点を解決して、浴室を広く使用して快適に入浴できるように、収納可能な風呂蓋を提供することをその課題とする。
【課題を解決するための手段】
【０００４】
上記課題を解決するために本発明においては、つぎのような技術的手段を講じている。すなわち、本願第一発明によれば、蓋部と、その長手方向両端部に内蔵され、伸縮自在とされた把持部とからなるとともに、上記把持部が浴室上部に設けられた支持手段により支持され、浴室上部空間に収納されることを特徴とする風呂蓋が提供される。好ましくは、上記支持手段が浴室側壁上部に設けられたＪ字型フックとされる。
【０００５】
本願第二発明によれば、中央平面板と該中央平面板の左右端縁にヒンジにより回動自在に接続された左折曲げ板および右折曲げ板とからなる蓋部と、該ヒンジの長手方向に伸縮自在に内蔵された伸縮バーとからなるとともに、上記伸縮バーが、浴室上部に設けられた支持手段により支持され、浴室上部空間に収納されることを特徴とする風呂蓋が提供される。好ましくは、上記支持手段が浴室側壁上部に設けられたＵ字型フックとされる。
【０００６】
上記左折曲げ板の左端部と右折曲げ板の右端部には、それぞれ把持バーが設けられることが好ましい。
【発明の効果】
【０００７】
請求項１に記載の第一発明は上記のとおりであり、とくに、伸縮自在とされた把持部が浴室上部に設けられた支持手段により支持され、浴室上部空間に収納されるため、洗い場を広く取ることができ、快適に入浴できる。
【０００８】
上記支持手段が浴室側壁上部に設けられたＪ字型フックであるため、上記把持部を簡単に、しっかりと支持することができる。
【０００９】
請求項３に記載の第二発明は上記のとおりであり、とくに、ヒンジの長手方向に伸縮自在に内蔵された伸縮バーが、浴室上部に設けられた支持手段により支持され、浴室上部空間に収納されるため、洗い場を広く取ることができ、快適に入浴できる。
【００１０】
上記支持手段が浴室側壁上部に設けられたＵ字型フックであるため、上記伸縮バーを簡単に、しっかりと支持することができる。
【００１１】
上記左折曲げ板の左端部と右折曲げ板の右端部には、それぞれ把持バーが設けられているため、浴槽の開口部を覆ったり、入浴時に収納するときは、この把持バーを掴んで行なえるとともに、浴槽の水を抜いて浴室を乾燥させるとき等においては、上記把持バーをランドリーパイプとして使用することができる。
【発明を実施するための最良の形態】
【００１２】
以下、本発明の実施形態について図面を参照して、詳細に説明する。図１は、第一発明にかかる風呂蓋Ａを示す斜視図である。図１において、風呂蓋Ａは、蓋部１とその長手方向両端部に内蔵され、伸縮自在とされた把持部２とからなり、浴槽の開口部を覆うときは、上記把持部２は長手方向両端部に設けられた収納凹部１１に収納された状態で使用される。一方、入浴時は、把持部２は、図２に示すように伸ばされ、浴室側壁上部に設けられた支持手段３としてのＪ字型フックに横架して支持される。
【００１３】
図３は、上記把持部２を伸ばし、浴室側壁上部の壁面Ｗに固定したＪ字型フックに横架して、風呂蓋Ａが支持された状態を示す透視図である。図３から、風呂蓋Ａは、浴室上部空間に収納されるため、洗い場を広く取ることができ、快適に入浴できることが明らかである。なお、本実施形態においては、上記伸ばした把持部２は、浴室側壁上部に設けたＪ字型フックにより支持されているが、これに限られず浴室天井部にＪ字型フックを垂設し、これに風呂蓋Ａを吊下げて支持してもよい。
【００１４】
図４は、本願第二発明にかかる風呂蓋Ｂを示す斜視図である。図４において、風呂蓋Ｂの蓋部は、中央平面板４と左折曲げ板４１および右折曲げ板４２とからなり、左右折曲げ板４１、４２は、中央平面板４の左右端縁にヒンジ５により回動自在に接続され、ヒンジ５の長手方向には、伸縮バー６が伸縮自在に内蔵されている。上記左折曲げ板４１の左端部と右折曲げ板４２の右端部には、それぞれ把持バー７が設けられ、浴槽の開口部を覆ったり、入浴時に収納するときは、この把持バー７を掴んで行なう。
【００１５】
浴槽の開口部を覆うときは、図４に示すように、伸縮バー６はヒンジ５に内蔵され、中央平面板４と左折曲げ板４１および右折曲げ板４２とを面一に展開して使用される。一方、入浴時は、図５に示すように、左右折曲げ板４１、４２をヒンジ５を軸心として略直角に下方に回動させるとともに、伸縮バー６を伸ばし、該伸縮バー６が浴室側壁上部に設けられた支持手段８としてのＵ字型フックに横架して支持される。このとき、上記把持バー７は、ランドリーパイプとしても用いられ、物干し等に利用できる。
【００１６】
図６は、上記伸縮バー６を伸ばし、浴室側壁上部の壁面Ｗに固定したＵ字型フックに横架して、風呂蓋Ｂが支持された状態を示す透視図である。図６からよくわかるように、風呂蓋Ｂは、左右折曲げ板が回動して垂下して、浴室上部空間に収納されるため、洗い場を広く取ることができ、快適に入浴できることが明らかである。また、浴槽の水を抜いて浴室を乾燥させるとき等においては、上記把持バー７をランドリーパイプとして使用することができる。なお、本実施形態においても、上記伸ばした伸縮バーは、浴室側壁上部に設けたＵ字型フックにより支持されているが、これに限らず浴室天井部にＵ字型フックを垂設し、これに風呂蓋Ｂを吊下げて支持してもよい
【図面の簡単な説明】
【００１７】
【図１】第一発明にかかる風呂蓋を示す斜視図である。
【図２】図１において把持部を伸ばした状態を示す斜視図である。
【図３】第一発明の風呂蓋を浴室上部空間に収納した状態を示す透視図である。
【図４】第二発明にかかる風呂蓋を示す斜視図である。
【図５】図４において左右折曲げ板が垂下した状態を示す斜視図である。
【図６】第二発明の風呂蓋を浴室上部空間に収納した状態を示す透視図である。
【符号の説明】
【００１８】
Ａ        第一発明にかかる風呂蓋
１        蓋部
１１      収納凹部
２        把持部
３        第一発明における支持手段
Ｂ        第二発明にかかる風呂蓋
４        中央平面板
４１      左折曲げ板
４２      右折曲げ板
５        ヒンジ
６        伸縮バー
７        把持バー
８        第二発明における支持手段
Ｗ        浴室側壁上部の壁面
【図１】
2005080735.tif 000003
【図２】
2005080735.tif 000004
【図３】
2005080735.tif 000005
【図４】
2005080735.tif 000006
【図５】
2005080735.tif 000007
【図６】
2005080735.tif 000008